(57)【特許請求の範囲】
【請求項１】
表面部と、裏面部と、表面部及び裏面部を連結する両側部に形成された側部の筒状桁と、両側部の筒状桁の中間に形成された中間部の筒状桁とを有し、両側部の筒状桁と中間部の筒状桁との間にフォーク挿入孔が形成された両面使用二方差し合成樹脂製パレットに於いて、
（１）該中間部の筒状桁内には、該中間部の筒状桁の両端部から内側に入った位置に、フォーク挿入孔に平行方向に延びた通孔を有する複数のＵ字桟及び逆Ｕ字桟が上下に重なり合わないようにフォーク挿入孔に対して直角方向に交互に配置された部分が、それぞれ１列ずつ形成され、
（２）該フォーク挿入孔に平行方向に延びた複数の通孔は、該中間部の筒状桁の端部からほぼ同じ距離となる位置に形成され、
（３）該複数の通孔のうち１箇所以上に滑り止めが設けられ、
（４）該Ｕ字桟及び該逆Ｕ字桟の両端部には、フォーク挿入孔と直角方向に延びた表面部と裏面部とを連結する外側仕切壁と内側仕切壁が、それぞれ該中間部の筒状桁の全幅に亘って形成され、
（５）該中間部の筒状桁内の一方の該内側仕切壁と他方の該内側仕切壁との間には、フォーク挿入孔と直角方向に延びた通孔を有する多数のＵ字桟及び逆Ｕ字桟が、上下に重なり合わないように交互に形成されている
ことを特徴とする両面使用二方差し合成樹脂製パレット。
【請求項２】
側部の筒状桁の表面部及び裏面部に於いて、中間部の筒状桁の表面部及び裏面部に設置された滑り止め材の位置とほぼ同一線上に位置するように、更に滑り止めが設置されている請求項１に記載の両面使用二方差し合成樹脂製パレット。
【発明の詳細な説明】
【０００１】
【発明の属する技術分野】
本発明は、種々の物品を立体自動倉庫内で保管する際に好適に使用することができる両面使用二方差し一体成形合成樹脂製パレットに関する。
【０００２】
【従来の技術】
最近立体自動倉庫内に於いて、合成樹脂製パレット上に種々の物品を載せ、合成樹脂製パレットの両端部をラックの荷受材に載せて保管することが行われている。
【０００３】
ところが、阪神大震災の際に立体倉庫内のラック上に載せたパレットが該荷受材から外れて荷物が落下する事故が発生した。従来の一体成形された両面使用二方差し合成樹脂製パレットは、ラックの荷受材を載せた場合に地震等で落下することを想定して滑らないような構成となっていない。かかるパレットでは、表裏のデッキボード面に滑り止め材が取り付けられるものの、パレットの強度の面から中間部の筒状桁の補強Ｕ字桟がフォークの挿入方向に対して垂直となるように形成されており、しかも一体成形により表面部と裏面部とに形成されたＵ字桟（滑り止め材取り付け孔を有する）が互いに上下に重なり合わないように成形されるため、取り付けられた滑り止め材が表裏面ではどちらかが表裏面の端部からより離れた位置に設置されることになり、該パレットをラックの荷受材に載せた時に端部からより離れた位置に設置された滑り止め材が該荷受材の上に乗らず、地震等の振動でラックから落下するという問題が解消していない。
【０００４】
【発明が解決しようとする課題】
本発明者等は、立体自動倉庫内で表裏何れの面を使用した場合にも、地震等で振動を受けた際に、合成樹脂製パレットの端部がラックの荷受材から外れ難い両面使用二方差し一体成形合成樹脂製パレットについて研究を進めた結果、本発明に到達した。
【０００５】
【課題を解決するための手段】
本発明は、表面部と、裏面部と、表面部及び裏面部を連結する両側部に形成された側部の筒状桁と、両側部の筒状桁の中間に形成された中間部の筒状桁とを有し、筒状桁の間にフォーク挿入孔が形成された両面使用二方差し一体成形合成樹脂製パレットに於いて、中間部の筒状桁の表面部及び裏面部の各端部から内側に入った位置で該端部に沿って１個以上の滑り止めが設けられ、表面部及び裏面部の滑り止め材がそれぞれの端部からほぼ同じ離れた位置で、且つ上下に重なり合わない位置に取り付けられていることを特徴とする両面使用二方差し合成樹脂製パレットに関する。
【０００６】
本発明は、中間部の筒状桁内に端部から内側に入った位置でフォーク挿入口に平行して表面部と裏面部とに滑り止めを取り付けるための通孔を有するＵ字桟が形成され、且つ表面部と裏面部のそれぞれのＵ字桟が上下に重なり合わないように位置し、滑り止めが該通孔に取り付けられている前記両面使用二方差し合成樹脂製パレットに関する。
【０００７】
本発明は、中間部の筒状桁内のＵ字桟の両端部に表面部と裏面部とを連結する仕切壁がそれぞれ形成され、該仕切壁がフォーク挿入孔と直角方向である前記両面使用二方差し合成樹脂製パレットに関する。
【０００８】
本発明は、各隅部の筒状桁の表面部及び裏面部に於いて、中間部の筒状桁の表面部及び裏面部に設置された滑り止めと同一のパレット辺縁から内側に入った位置に各滑り止めが設置されている前記両面使用二方差し合成樹脂製パレットに関する。
【０００９】
【発明の実施の形態】
以下、図面に従って本発明を説明する。
図１は本発明に係わる両面使用二方差し一体成形合成樹脂製パレットの一例を示す平面図であり、図２は図１に示した両面使用二方差し合成樹脂製パレットの裏面図であり、図３は図１に示した両面使用二方差し合成樹脂製パレットの正面図であり、図４は図１に於ける線Ａ−Ａに沿った断面図であり、図５は図２に於ける線Ｂ−Ｂに沿った断面図であり、図６は図１に於ける線Ｃ−Ｃに沿った断面図であり、図７は図１に於ける線Ｄ−Ｄに沿った断面図であり、図８は図２に於ける線Ｅ−Ｅに沿った断面図であり、図９は図１に於ける線Ｆ−Ｆに沿った断面図であり、図１０は図２に於ける線Ｇ−Ｇに沿った断面図である。
【００１０】
本発明に係わる両面使用二方差し一体成形合成樹脂製パレットは、表面部１と、裏面部２と、表面部１及び裏面部２を連結する両側部に形成された側部の筒状桁３と、両側部の筒状桁３の中間に形成された中間部の筒状桁４とを有し、側部の筒状桁３及び中間部の筒状桁４の間にフォーク挿入孔５が形成され、中間部の筒状桁４の表面部１及び裏面部２の各端部から内側に入った位置で該端部に沿って１個以上、好ましくは該面部の片側端部近傍に少なくとも２個の滑り止め１１が設けられ、表面部１及び裏面部２の滑り止め１１がそれぞれの端部からほぼ同じ離れた位置で、且つ上下に重なり合わない位置に取り付けられている。即ち、中間部の筒状桁４の表面部と裏面部とが対面する側に於いて、両面部に取り付けられた滑り止め１１が両面部の端部からほぼ同じ離れた位置であって、両面部の滑り止め１１が上下に重なり合わない位置にある。勿論、表面部１及び裏面部２のそれぞれの中間部の筒状桁４の左右の端部近傍に滑り止め１１が取り付けられている。かかる表面部及び裏面部の左右端部近傍に取り付けられた滑り止め１１は該滑り止めを有するパレットをラックの荷受材の上に乗せた時に該荷受材に当接するような位置になるようにパレットに取り付けられる。
【００１１】
本発明のパレットでは、中間部の筒状桁４内に端部から内側に入った位置でフォーク挿入孔５に平行して表面部１と裏面部２とに滑り止め１１を取り付けるための通孔４３、４４を有するＵ字桟９、１０が形成され、且つ表面部１と裏面部２のそれぞれのＵ字桟９、１０が上下に重なり合わないように位置し、滑り止め１１、１２が該通孔に取り付けられている。表面部１及び裏面部２の左右端部近傍に形成される通孔４３、４４は各端部近傍に少なくとも２個以上形成されるのが好ましい。上記Ｕ字桟９は、中間部の筒状桁４内に端部６から内側に入った位置でフォーク挿入孔５と直角方向に延びた２個の平行な外側仕切壁７と内側仕切壁８との間に形成されている。
【００１２】
本発明の好ましい態様であるパレットに於いて、中間部の筒状桁４内に設けられた外側仕切壁７と内側仕切壁８との間で表面部１にＵ字桟９が形成されるとともに裏面部２の、表面部１のＵ字桟（逆Ｕ字桟）９と上下に重なり合わない位置にＵ字桟１０が形成されている。Ｕ字桟９は単に通孔を形成してもよいし、一段下がった段部に通孔４３を形成してもよく、一段下がった段部に通孔４３が形成されたＵ字桟９ａに滑り止め１１が取付けられている。実質的には外側仕切壁７と内側仕切壁８は、Ｕ字桟９、１０の端部に位置し、フォーク挿入孔と直角になるように筒状桁４の全幅に亘って形成される。滑り止め１１、１２はかかる外側仕切壁７と内側仕切壁８との間の表面部と裏面部とに形成されるが、より好ましくは両仕切壁の間にほぼ入るように取り付けられる。かかる構成のパレットをラックの荷受材に乗せた場合、パレットの両端部に掛かるかなりの荷重によってラックの荷受材との接触面の滑り止め１１又は１２が内側に歪み、該滑り止めがラックの荷受材と接触し難くなるという問題も解消している。これは、上記両仕切壁が過度の荷重を緩和していることに因る。
【００１３】
上記Ｕ字桟１０は単に通孔を形成してもよいし、一段下がった段部に通孔４４を形成してもよく、一段下がった段部に通孔４４が形成されたＵ字桟１０ａに滑り止め１２が取付けられている。尚、外側仕切壁７及び内側仕切壁８には、必要に応じて通孔を設けてもよい。
【００１４】
かかるパレットでは、中間部の筒状桁４内に於いて、端部６と外側仕切壁７との間で表面部１に板状部１３が形成され、一方の内側仕切壁８と他方の内側仕切壁８との間で表面部１にフォーク挿入孔５と直角方向に延びた通孔１４を有する多数のＵ字桟（逆Ｕ字桟）１５が形成されるとともに、裏面部２のＵ字桟１５と上下に重なり合わない位置に通孔１６を有する多数のＵ字桟１７が形成され、且つ一方の端部６から他方の端部６に延びた仕切壁１８が形成されている。
【００１５】
また、両側部の筒状桁３内に於いて、端部６から内側に入った位置でフォーク挿入孔５と直交する方向に延びた２個の平行な仕切壁１９及び仕切壁２０が形成され、２個の平行な仕切壁１９及び仕切壁２０の間で表面部１に形成された一段下がった段部に通孔が設けられた桟２１に滑り止め２２が取付けられるとともに裏面部２の桟２１と上下に重なり合わない位置に形成された一段下がった段部に通孔が設けられた桟２３に滑り止め２４が取付けられている。かかる滑り止め２２、２４は、互いに上下に重なり合わない位置であり、表裏面の同一側に於いてその端部からほぼ同じ離れた位置で、しかも中間部の筒状桁４の端部近傍に取り付けられる滑り止め１１、１２とほぼ同一線上に並ぶように設置されるのが好ましい。
【００１６】
尚、仕切壁１９及び仕切壁２０には、必要に応じて通孔を設けてもよい。両側部の筒状桁３内に於いて、端部６と仕切壁１９との間で表面部１に板状部２５が形成されている。また、両側部の筒状桁３内に於いて、側部２６から内側に入った位置で側部２６に沿って仕切壁２７が形成されるとともに側部２６と仕切壁２７との間で表面部１に板状部２８が形成され、且つ側部の筒状桁３の内側壁２９と仕切壁２７との間で表面部１にフォーク挿入孔５と直交する方向に延びた通孔３０を有する多数の桟３１が形成されるとともに裏面部２の桟３１と上下に重なり合わない位置にフォーク挿入孔５と直交する方向に延びた通孔３２を有する桟３３が形成されている。また、両側部の筒状桁３内に於いて、側部２６と仕切壁２７との間に多数の仕切壁３４が形成されている。
【００１７】
また、好ましい態様のパレットに於いては、フォーク挿入孔５の入口付近で、表面部１に内側下方に傾斜した板状傾斜部３５が形成され、板状傾斜部３５の上部に格子状リブ３６が形成されるとともに板状傾斜部３５に通孔３７が形成され、且つ裏面部２に内側上方に傾斜した板状傾斜部３８が形成され、板状傾斜部３８の下方に格子状リブ３９が形成されるとともに板状傾斜部３８に通孔４０が形成されている。また、表面部１に一端側の板状傾斜部３５と他端側に板状傾斜部３５との間で格子状リブ４１が形成され、且つ裏面部２に一端側の板状傾斜部３８と他端側の板状傾斜部３８との間で格子状リブ４２が形成されている。
【００１８】
本発明に係わる両面使用二方差し合成樹脂製パレットでは、ポリエチレン、ポリプロピレン等の合成樹脂により、一体成形される。
【００１９】
【発明の効果】
本発明に係わる両面使用二方差し合成樹脂製パレットは、立体自動倉庫内で表裏何れの面を使用しても、両端部６をラックの荷受材に載せた場合に、表面部１に取付けられた滑り止め１１、２２又は裏面部２に取付けられた滑り止め１２、２４を確実にラックの荷受材に接触させることができる為に、地震等で振動を受けた際に、端部６がラックの荷受材から外れ難く、その上に載せた荷物が落下し難い。
【図面の簡単な説明】
【図１】本発明に係わる両面使用二方差し合成樹脂製パレットの一例を示す平面図である。
【図２】図１に示した両面使用二方差し合成樹脂製パレットの裏面図である。
【図３】図１に示した両面使用二方差し合成樹脂製パレットの正面図である。
【図４】図１に於ける線Ａ−Ａに沿った断面図である。
【図５】図２に於ける線Ｂ−Ｂに沿った断面図である。
【図６】図１に於ける線Ｃ−Ｃに沿った断面図である。
【図７】図１に於ける線Ｄ−Ｄに沿った断面図である。
【図８】図２に於ける線Ｅ−Ｅに沿った断面図である。
【図９】図１に於ける線Ｆ−Ｆに沿った断面図である。
【図１０】図２に於ける線Ｇ−Ｇに沿った断面図である。
【符号の説明】
１  表面部
２  裏面部
３、４  筒状桁
５  フォーク挿入孔
６  端部
７  外側仕切壁
８  内側仕切壁
９、１０  Ｕ字桟
１１、１２  滑り止め
１９、２０  仕切壁
２１、２３  桟
２２、２４  滑り止め
【図１】
0003874125.tif 000002
【図２】
0003874125.tif 000003
【図３】
0003874125.tif 000004
【図４】
0003874125.tif 000005
【図５】
0003874125.tif 000006
【図６】
0003874125.tif 000007
【図７】
0003874125.tif 000008
【図８】
0003874125.tif 000009
【図９】
0003874125.tif 000010
【図１０】
0003874125.tif 000011